(57)【要約】【課題】  両用プロジェクションシステム及びレアプロジェクションテレビの光学投射方法及び装置の提供。【解決手段】  ケース及びプロジェクタユニットで構成され、ケースがディスプレイ及びケース内に設けられた複数の光学装置を具えたプロジェクションシステムにおいて、プロジェクタユニットがケース背部に設置されて着脱、移動に便利とされ、プロジェクタユニットがケース内部で投射する時、光学装置の反射作用により映像をディスプレイ背面に投射し、プロジェクタユニットがケース外部に置かれる時、直接映像をディスプレイに投射し、レアプロジェクション及びフロントプロジェクション両用プロジェクションシステムを形成する。【選択図】        図１
2006227107.tif 000002
【特許請求の範囲】
【請求項１】
ケースとプロジェクタユニットで構成され、該ケースにディスプレイが設けられ、該ケース内に複数の光学装置が設けられた両用プロジェクションシステムにおいて、
該プロジェクタユニットがケース背部に取り付けられて着脱、移動に便利とされ、プロジェクタユニットがケース背部に固定され並びに光学映像をケース内部に投射する時、光学装置の反射により映像がディスプレイ背面に投影され、レアプロジェクションテレビを形成し、プロジェクタユニットがケース外部に置かれて、直接映像が離れた位置にあるディスプレイに投射される時、フロントプロジェクション視聴設備を形成することを特徴とする、両用プロジェクションシステム。
【請求項２】
請求項１記載の両用プロジェクションシステムにおいて、ケースが複数の板体で構成され、該複数の板体が、面板、面板両側に設けられた側板、ケース背部上方に設けられ並びに下向きに傾斜する背板、背板下端に位置し並びに下向きに垂直に延伸された後ろ隔板、及び底部に設けられた底板を包含することを特徴とする、両用プロジェクションシステム。
【請求項３】
請求項２記載の両用プロジェクションシステムにおいて、各板体の隣接部分に係合或いは係合解除可能な係合装置が設けられて相互に結合され、係合時に固定形態のケースを形成し、係合解除時に複数の板体が折り畳まれて収納可能とされたことを特徴とする、両用プロジェクションシステム。
【請求項４】
請求項２記載の両用プロジェクションシステムにおいて、各板体の隣接部分がヒンジで接続されたことを特徴とする、両用プロジェクションシステム。
【請求項５】
請求項２記載の両用プロジェクションシステムにおいて、ケースが一体成形されたことを特徴とする、両用プロジェクションシステム。
【請求項６】
請求項１記載の両用プロジェクションシステムにおいて、プロジェクタユニットを収容する収容カートリッジが設けられたことを特徴とする、両用プロジェクションシステム。
【請求項７】
請求項６記載の両用プロジェクションシステムにおいて、収容カートリッジに開口が設けられてプロジェクタユニットの収容カートリッジへの収容、取り出しに便利とされたことを特徴とする、両用プロジェクションシステム。
【請求項８】
請求項６記載の両用プロジェクションシステムにおいて、収容カートリッジにスロットと端子が設けられてプロジェクタユニット挿入時の位置固定と信号接続に供されることをことを特徴とする、両用プロジェクションシステム。
【請求項９】
請求項６記載の両用プロジェクションシステムにおいて、収容カートリッジに係合構造が設けられてケースと分離及び固定可能とされたことをことを特徴とする、両用プロジェクションシステム。
【請求項１０】
請求項１記載の両用プロジェクションシステムにおいて、光学装置が反射機能を具えた鏡とされたことを特徴とする、両用プロジェクションシステム。
【請求項１１】
ケースとプロジェクタユニットで構成されて該ケース前方にディスプレイが設けられ、該ケース内部に映像を反射するための複数の光学装置が設けられたレアプロジェクションテレビの光学投射方法において、
プロジェクタユニットがケース背部に設けられ、プロジェクタユニットがディスプレイの上方に投射した光学映像が第１光学装置に至った後、第１光学装置により光学映像が上から下に反射されディスプレイ下方に位置する第２光学装置に至り、第２光学装置によりケース背部の第３光学装置に反射され、第３光学装置の反射により、光学映像がケースに設けられたディスプレイの背面に投射されることを特徴とする、レアプロジェクションテレビの光学投射方法。
【請求項１２】
ケースとプロジェクタユニットで構成されて該ケース前方にディスプレイが設けられ、該ケース内部に映像を反射するための複数の光学装置が設けられたレアプロジェクションテレビの光学投射方法において、
プロジェクタユニットがケース背部に設けられ、プロジェクタユニットがディスプレイの下方に投射した光学映像が第１光学装置に至った後、第１光学装置により光学映像が下から上に反射されディスプレイ上方に位置する第２光学装置に至り、第２光学装置によりケース背部の第３光学装置に反射され、第３光学装置の反射により、光学映像がケースに設けられたディスプレイの背面に投射されることを特徴とする、レアプロジェクションテレビの光学投射方法。
【請求項１３】
レアプロジェクションテレビにおいて、該レアプロジェクションテレビはケースとプロジェクタユニット及び複数の光学装置で構成され、そのうち、ケースが更に、
ケース正面に設けられたディスプレイ、
ケース内部に設けられてディスプレイの上方或いは下方に位置する第１光学装置、
ケース内部に設けられて第１光学装置に対向し、ディスプレイの下方或いは上方に位置する第２光学装置、
ケース内部の背部に位置するように設けられた第３光学装置、
以上を具え、
プロジェクタユニットの投射した光学映像がケース内で順に第１、２、３光学装置に反射された後、ディスプレイ背面に投影されることを特徴とする、レアプロジェクションテレビ。
【請求項１４】
ケースとプロジェクタユニットで構成されて該ケース前方にディスプレイが設けられ、該ケース内部に映像を反射するための複数の光学装置が設けられたレアプロジェクションテレビの光学投射方法において、
プロジェクタユニットが光学映像をケースのディスプレイ背面に投射する過程中に、光学映像が上から下或いは下から上に投射されるステップがあり、更にその他の光学装置により直接に或いは間接的にディスプレイ背面に向けて反射されることを特徴とする、レアプロジェクションテレビの光学投射方法。
【請求項１５】
ケースとプロジェクタユニットで構成され、該ケースの前方にディスプレイが設けられ、該ケース内部に映像を反射するための複数の光学装置が設けられたレアプロジェクションテレビにおいて、
該プロジェクタユニットがケース背部に設置され、ケースのディスプレイの上方或いは下方に第１光学装置が設けられて該第１光学装置がプロジェクタユニットが投射した光学映像を受け取り反射することを特徴とする、レアプロジェクションテレビ。
【請求項１６】
ケースとプロジェクタユニットで構成され、該ケースの前方にディスプレイが設けられ、該ケース内部に映像を反射するための複数の光学装置が設けられたレアプロジェクションテレビにおいて、
該ケースの背部にプロジェクタユニットを収容するための収容カートリッジが設けられたことを特徴とする、レアプロジェクションテレビ。
【請求項１７】
請求項１６に記載のレアプロジェクションテレビにおいて、収容カートリッジにスロットと信号接続用のボード内部接続メカニズムが設けられてプロジェクタユニット挿入時の位置固定と信号接続に供されることを特徴とする、レアプロジェクションテレビ。
【請求項１８】
請求項１６に記載のレアプロジェクションテレビにおいて、収容カートリッジがケース背部上方に設けられたことを特徴とする、レアプロジェクションテレビ。
【請求項１９】
請求項１６に記載のレアプロジェクションテレビにおいて、収容カートリッジがケース背部下方に設けられたことを特徴とする、レアプロジェクションテレビ。
【発明の詳細な説明】
【技術分野】
【０００１】
本発明はプロジェクションシステムの光学投影技術に係り、特に、プロジェクションシステムがケースとプロジェクタユニットで構成されて、プロジェクタユニットがケース背部に設置されて着脱、移動に便利で、プロジェクタユニットをケースの内部或いは外部に設置できるレアプロジェクション及びフロントプロジェクション両用プロジェクションシステムに関する。
【背景技術】
【０００２】
一般にフロントプロジェクション（ＦＰ）視聴設備は、映像信号がプロジェクタに接続され、プロジェクタにより映像信号が変換されて光学投射映像とされ、並びに特定距離にあるディスプレイがプロジェクタの投射した映像を現出し、光学映像の拡大の作用により、大スクリーンの映像表現効果を達成する。
【０００３】
また、フロントプロジェクション（ＦＰ）視聴設備は実際の使用時に、プロジェクタとディスプレイの間の映像投射を阻止しうる物体を排除しなければ、完全な映像をディスプレイに表示できず、使用上、多くの制限が形成される。このため市場には光学映像装置をケース内部に組み込んだレアプロジェクションテレビ（ＲＰ）が出現しており、それはケースの正面にディスプレイが設置され、ケース内部の空間に設置された光学装置により、プロジェクタの投射した光学映像を反射してディスプレイ背面に投射して映像を表示するものであり、一般の映像管、液晶或いはプラズマテレビに較べて大サイズ表示映像の効果を有する。
【０００４】
フロントプロジェクション視聴設備に較べ、レアプロジェクションテレビは全ての電気回路がケースの内部に整合され、その光学映像の投射経路はケース内に制限されるため、良好な映像表現効果を獲得できる。ただし投射映像の表示面積はレアプロジェクションテレビ自身の体積の制限を受ける。また即ち、投射映像の表示面積が大きくなるほど、レアプロジェクションテレビの体積も大きくなる。これにより、レアプロジェクションテレビとフロントプロジェクション視聴設備は市場で極めて明確な区画を形成しつつある。オフィス、会議室等の場所ではフロントプロジェクション視聴設備の使用が主流である。
【０００５】
事実上、レアプロジェクションテレビ或いはフロントプロジェクション視聴設備のいずれも、その核心装置が最も高価な主要部品アセンブリとされ、それは一つのプロジェクタユニットで構成されている。即ち、プロジェクタユニットが固定サイズのケース内に設置されて映像を投射し、並びに光学装置の反射によりケースに設けられたディスプレイの背面に投射する時、レアプロジェクションテレビが形成される。プロジェクタユニットが直接光学映像を適当な距離からディスプレイに投射する時、フロントプロジェクション視聴設備が形成される。
【０００６】
これにより、レアプロジェクションテレビ内のプロジェクタユニットを着脱式となし、並びにプロジェクタユニットで外部から直接ディスプレイに映像を投射できるようにすることで、レアプロジェクションテレビがレアプロジェクションテレビとフロントプロジェクション視聴設備の両方の機能を具えた両用プロジェクションシステムを形成する。
【発明の開示】
【発明が解決しようとする課題】
【０００７】
本発明はプロジェクションシステムがケースとプロジェクタユニットで構成されて、プロジェクタユニットがケース背部に設置されて着脱、移動に便利で、プロジェクタユニットをケースの内部或いは外部に設置できるレアプロジェクション及びフロントプロジェクション両用プロジェクションシステム及びレアプロジェクションテレビの光学投射方法及び装置を提供することを目的とする。
【課題を解決するための手段】
【０００８】
請求項１の発明は、ケースとプロジェクタユニットで構成され、該ケースにディスプレイが設けられ、該ケース内に複数の光学装置が設けられた両用プロジェクションシステムにおいて、
該プロジェクタユニットがケース背部に取り付けられて着脱、移動に便利とされ、プロジェクタユニットがケース背部に固定され並びに光学映像をケース内部に投射する時、光学装置の反射により映像がディスプレイ背面に投影され、レアプロジェクションテレビを形成し、プロジェクタユニットがケース外部に置かれて、直接映像が離れた位置にあるディスプレイに投射される時、フロントプロジェクション視聴設備を形成することを特徴とする、両用プロジェクションシステムとしている。
請求項２の発明は、請求項１記載の両用プロジェクションシステムにおいて、ケースが複数の板体で構成され、該複数の板体が、面板、面板両側に設けられた側板、ケース背部上方に設けられ並びに下向きに傾斜する背板、背板下端に位置し並びに下向きに垂直に延伸された後ろ隔板、及び底部に設けられた底板を包含することを特徴とする、両用プロジェクションシステムとしている。
請求項３の発明は、請求項２記載の両用プロジェクションシステムにおいて、各板体の隣接部分に係合或いは係合解除可能な係合装置が設けられて相互に結合され、係合時に固定形態のケースを形成し、係合解除時に複数の板体が折り畳まれて収納可能とされたことを特徴とする、両用プロジェクションシステムとしている。
請求項４の発明は、請求項２記載の両用プロジェクションシステムにおいて、各板体の隣接部分がヒンジで接続されたことを特徴とする、両用プロジェクションシステムとしている。
請求項５の発明は、請求項２記載の両用プロジェクションシステムにおいて、ケースが一体成形されたことを特徴とする、両用プロジェクションシステムとしている。
請求項６の発明は、請求項１記載の両用プロジェクションシステムにおいて、プロジェクタユニットを収容する収容カートリッジが設けられたことを特徴とする、両用プロジェクションシステムとしている。
請求項７の発明は、請求項６記載の両用プロジェクションシステムにおいて、収容カートリッジに開口が設けられてプロジェクタユニットの収容カートリッジへの収容、取り出しに便利とされたことを特徴とする、両用プロジェクションシステムとしている。
請求項８の発明は、請求項６記載の両用プロジェクションシステムにおいて、収容カートリッジにスロットと端子が設けられてプロジェクタユニット挿入時の位置固定と信号接続に供されることをことを特徴とする、両用プロジェクションシステムとしている。
請求項９の発明は、請求項６記載の両用プロジェクションシステムにおいて、収容カートリッジに係合構造が設けられてケースと分離及び固定可能とされたことをことを特徴とする、両用プロジェクションシステムとしている。
請求項１０の発明は、請求項１記載の両用プロジェクションシステムにおいて、光学装置が反射機能を具えた鏡とされたことを特徴とする、両用プロジェクションシステムとしている。
請求項１１の発明は、ケースとプロジェクタユニットで構成されて該ケース前方にディスプレイが設けられ、該ケース内部に映像を反射するための複数の光学装置が設けられたレアプロジェクションテレビの光学投射方法において、
プロジェクタユニットがケース背部に設けられ、プロジェクタユニットがディスプレイの上方に投射した光学映像が第１光学装置に至った後、第１光学装置により光学映像が上から下に反射されディスプレイ下方に位置する第２光学装置に至り、第２光学装置によりケース背部の第３光学装置に反射され、第３光学装置の反射により、光学映像がケースに設けられたディスプレイの背面に投射されることを特徴とする、レアプロジェクションテレビの光学投射方法としている。
請求項１２の発明は、ケースとプロジェクタユニットで構成されて該ケース前方にディスプレイが設けられ、該ケース内部に映像を反射するための複数の光学装置が設けられたレアプロジェクションテレビの光学投射方法において、
プロジェクタユニットがケース背部に設けられ、プロジェクタユニットがディスプレイの下方に投射した光学映像が第１光学装置に至った後、第１光学装置により光学映像が下から上に反射されディスプレイ上方に位置する第２光学装置に至り、第２光学装置によりケース背部の第３光学装置に反射され、第３光学装置の反射により、光学映像がケースに設けられたディスプレイの背面に投射されることを特徴とする、レアプロジェクションテレビの光学投射方法としている。
請求項１３の発明は、レアプロジェクションテレビにおいて、該レアプロジェクションテレビはケースとプロジェクタユニット及び複数の光学装置で構成され、そのうち、ケースが更に、
ケース正面に設けられたディスプレイ、
ケース内部に設けられてディスプレイの上方或いは下方に位置する第１光学装置、
ケース内部に設けられて第１光学装置に対向し、ディスプレイの下方或いは上方に位置する第２光学装置、
ケース内部の背部に位置するように設けられた第３光学装置、
以上を具え、
プロジェクタユニットの投射した光学映像がケース内で順に第１、２、３光学装置に反射された後、ディスプレイ背面に投影されることを特徴とする、レアプロジェクションテレビとしている。
請求項１４の発明は、ケースとプロジェクタユニットで構成されて該ケース前方にディスプレイが設けられ、該ケース内部に映像を反射するための複数の光学装置が設けられたレアプロジェクションテレビの光学投射方法において、
プロジェクタユニットが光学映像をケースのディスプレイ背面に投射する過程中に、光学映像が上から下或いは下から上に投射されるステップがあり、更にその他の光学装置により直接に或いは間接的にディスプレイ背面に向けて反射されることを特徴とする、レアプロジェクションテレビの光学投射方法としている。
請求項１５の発明は、ケースとプロジェクタユニットで構成され、該ケースの前方にディスプレイが設けられ、該ケース内部に映像を反射するための複数の光学装置が設けられたレアプロジェクションテレビにおいて、
該プロジェクタユニットがケース背部に設置され、ケースのディスプレイの上方或いは下方に第１光学装置が設けられて該第１光学装置がプロジェクタユニットが投射した光学映像を受け取り反射することを特徴とする、レアプロジェクションテレビとしている。
請求項１６の発明は、ケースとプロジェクタユニットで構成され、該ケースの前方にディスプレイが設けられ、該ケース内部に映像を反射するための複数の光学装置が設けられたレアプロジェクションテレビにおいて、
該ケースの背部にプロジェクタユニットを収容するための収容カートリッジが設けられたことを特徴とする、レアプロジェクションテレビとしている。
請求項１７の発明は、請求項１６に記載のレアプロジェクションテレビにおいて、収容カートリッジにスロットと信号接続用のボード内部接続メカニズムが設けられてプロジェクタユニット挿入時の位置固定と信号接続に供されることを特徴とする、レアプロジェクションテレビとしている。
請求項１８の発明は、請求項１６に記載のレアプロジェクションテレビにおいて、収容カートリッジがケース背部上方に設けられたことを特徴とする、レアプロジェクションテレビとしている。
請求項１９の発明は、請求項１６に記載のレアプロジェクションテレビにおいて、収容カートリッジがケース背部下方に設けられたことを特徴とする、レアプロジェクションテレビとしている。
【発明の効果】
【０００９】
本発明の両用プロジェクションシステムはケースとプロジェクタユニットで構成され、該ケースはディスプレイ及びケース内に設けられた複数の光学装置を具えている。本発明の特徴は、プロジェクタユニットがケース背部に設置されて着脱、移動に便利とされ、プロジェクタユニットがケース内部で投射する時、光学装置の反射作用により映像をディスプレイ背面に投射し、プロジェクタユニットがケース外部に置かれる時、直接映像をディスプレイに投射し、レアプロジェクション及びフロントプロジェクション両用プロジェクションシステムを形成することにある。
【００１０】
前述の両用プロジェクションシステムは、ケースが一体成形されるか、複数の板体で構成される。複数の板体で構成された実施例は更に面板、面板両側に設けられた側板、ケース背部上方に設けられ並びに下向きに傾斜する背板、背板下端に位置し並びに下向きに垂直に延伸された後ろ隔板、及び底部に設けられた底板を具え、その特徴は、各板体の隣接部分に係合或いは係合解除可能な係合装置が設けられて相互に結合され、係合時に固定形態のケースを形成し、係合解除時に複数の板体が折り畳まれて収納可能とされたことにある。
【００１１】
本発明の両用プロジェクションシステムはレアプロジェクションテレビ及びフロントプロジェクション視聴設備の長所を兼ね備え、周知のレアプロジェクションテレビのプロジェクタがケース内に固定された方式に較べ、本発明はプロジェクタユニットが着脱式設計とされて、生産製造、或いは組立、修理上、大幅にコストを節約できる。これにより、ケース及びプロジェクタユニットの設計が着脱式に組み合わせられる構造とされ、メーカーにとっては、販売戦略として「ＤＩＹ（自己組立）」商品として市場に進入でき、運搬及びストックコストの面で有利であり、更に伝統的な家電売り場とは区別され、消費者に対して価格上の競争力を有し、一挙両得である。
【００１２】
本発明の別の特徴はプロジェクタユニットがケース内に設置されることでレアプロジェクションテレビを形成でき、その光学投射方法は、投射した光が交錯時に相互に影響を与えない特性を利用し、ケース内で一回或いは複数回の反射を形成させ、そのうち一回の反射の経路をディスプレイと平行とした後、更にその他の光学装置でディスプレイ背面に反射する。これにより、プロジェクタユニットが投射する光学映像がディスプレイ背面に至る過程で、少なくとも光学映像を上から下或いは下から上に反射するステップを有し、更に上方或いは下方の対応する光学装置が直接或いは間接的にディスプレイ背面に反射する。
【００１３】
前述の本発明の方法を実施する本発明の構造は、プロジェクタユニットがケース背部に設けられ、ケースのディスプレイの上方或いは下方に光学装置が設けられてプロジェクタユニットが投射した光学映像を受け取り及び反射する。
【００１４】
本発明の方法を実施する本発明の構造は、プロジェクタユニットがケース背部に設けられ、プロジェクタユニットがディスプレイの上方或いは下方に投射した光学映像が第１光学装置に至った後、第１光学装置により光学映像が上から下或いは下から上に反射されディスプレイ下方或いは上方に位置する第２光学装置に至り、第２光学装置によりケース背部の第３光学装置に反射され、第３光学装置の反射により、光学映像がケースに設けられたディスプレイの背面に投射される。
【００１５】
前述の本発明はプロジェクタユニットがケース背部に設置されてレアプロジェクションテレビを形成し、該レアプロジェクションテレビのケースに更に、
ケース正面に設けられたディスプレイ、
ケース内部に設けられてディスプレイの上方或いは下方に位置する第１光学装置、
ケース内部に設けられて第１光学装置に対向し、ディスプレイの下方或いは上方に位置する第２光学装置、
ケース内部の背部に位置するように設けられた第３光学装置、
以上を具えている。
【００１６】
プロジェクタユニットの投射した光学映像はケース内で順に第１、２、３光学装置に反射された後、ディスプレイ背面に投影される。
【００１７】
以上の本発明の方法と構造により、ケースの背部上方或いは下方には収容カートリッジが設けられてプロジェクタユニットを収容するのに供され、これによりプロジェクタユニットの着脱に便利とされる。
【発明を実施するための最良の形態】
【００１８】
図１の本発明の実施例に示されるように、本発明の両用プロジェクションシステムは、ケース１０及びプロジェクタユニット２０を具えている。そのうち、ケース１０はディスプレイ１１及びケース１０１０内に設けられた複数の光学装置３０を具えている。本発明の特徴は以下のとおりである。プロジェクタユニット２０がケース１０背部に設置されて着脱、移動に便利とされ、プロジェクタユニット２０がケース１０内部で光学映像を投射する時、光学装置３０の反射作用により映像をディスプレイ１１背面に投射してレアプロジェクションテレビを形成し、プロジェクタユニット２０がケース１０外部に置かれる時、直接映像を離れた位置にあるディスプレイ（図示せず）に投射し、フロントプロジェクション視聴設備を形成することにある。
【００１９】
上述のケース１０の外観は一般のレアプロジェクションテレビに類似する。プロジェクタユニット２０はケース１０より着脱、移動可能で、フロントプロジェクション視聴設備とされる時は、ディスプレイは別に配置されるか、或いは室内或いは室外の素色（白色がよい）壁面がディスプレイとされ、これは一般のフロントプロジェクション視聴設備の使用方式であるため、詳しい説明は省略する。
【００２０】
図２に示されるように、前述の本発明の両用プロジェクションシステムのケース１０は複数の板体で構成される。該複数の板体は、面板１２、面板１２両側に設けられた側板１３、ケース１０背部上方に設けられ並びに下向きに傾斜する背板１４、背板１４下端に位置し並びに下向きに垂直に延伸された後ろ隔板１５、及び底部に設けられた底板１６を具え、その特徴は、各板体の隣接部分に係合或いは係合解除可能な係合装置１７が設けられて相互に結合され、係合時に固定形態のケース１０を形成し、係合解除時に複数の板体が折り畳まれて収納可能とされたことにある。
【００２１】
図示される係合装置１７はネジ釘とされ、簡単に板体間の分解或いは組立が行なえる。実施時に、工具を使用する必要のない係止装置或いはその他の接合用の部品を使用するか、或いは各板体に直接係止突起を設置してもよい。或いは、各板体の間にヒンジ等の枢設装置を設けることもでき、これによりケース１０の折り畳み、組立に便利とされる。
【００２２】
当然、本発明中、ケース１０の実施方式は上述の複数の板体で構成するものに限定されるわけではなく、型を用いて一体射出成形した後に、適宜位置にプロジェクタユニットと光学装置を取り付けることもできる。
【００２３】
このほか、上述の本発明の両用プロジェクションシステムにおいて、ケース１０の背部上方或いは下方に収容カートリッジ１８が設けられてプロジェクタユニット２０を収容するのに供され、プロジェクタユニット２０の着脱に便利とされる。実施時には、収容カートリッジ１８に開口が設けられてプロジェクタユニット２０の収容カートリッジ１８からの取り出しに便利とされる。或いは収容カートリッジがケース１０と分離した係合構造とされ、プロジェクタユニット２０とケース１０を分離或いは固定する時，収容カートリッジ１８をケース１０より取り外すか或いはケース１０に取り付ければ，プロジェクタユニット２０と連帯して着脱を行なうことができるものとされる。
【００２４】
このほか、収容カートリッジ１８にスロット及び信号接続用のボード内部接続メカニズム（Ｂｏａｒｄ  ｉｎｔｅｒｃｏｎｎｅｃｔ  ｍｅｃｈａｎｉｓｍ）１９が設けられ、プロジェクタユニット２０との接続に供され、プロジェクタユニット２０が収容カートリッジ１８に挿入される時、位置を固定し並びに信号接続を形成でき、光学投射角度の固定が行なえるものとされる。
【００２５】
図３に示されるように、本発明はプロジェクタユニット２０がケース１０に取り付けられてレアプロジェクションテレビを形成可能で、該レアプロジェクションテレビの光学投射方法は、投射する光が交錯時に相互に影響を与えない特性を利用し、ケース１０内で一回或いは複数回の反射を形成させ、そのうち一回の反射の経路をディスプレイと平行とした後、更にその他の光学装置でディスプレイ背面に反射する。
【００２６】
これにより、その構造は、ケース１０及びプロジェクタユニット２０で構成され、ケース１０前方にディスプレイ１１が設けられ、内部に映像を反射するための複数の光学装置が設けられたレアプロジェクションテレビにおいて、
プロジェクタユニット２０がケース１０背部に設けられ、プロジェクタユニット２０がケース１０のディスプレイ１１の上方或いは下方の第１光学装置３１に向けて光学映像を投射し、第１光学装置３１により光学映像が上から下或いは下から上に反射されてディスプレイ下方或いは上方の第２光学装置３２に投射され、第２光学装置３２によりケース１０背部の第３光学装置３３に投射され、第３光学装置３３の反射により光学映像がディスプレイ１１背面に投影される。
【００２７】
上述の各光学装置は反射機能を具えた鏡とされる。
前述の本発明のプロジェクタユニット２０はケース１０の背部に設置されてレアプロジェクションテレビを形成し、該レアプロジェクションテレビのケース１０には更に、
ケース１０正面に設けられたディスプレイ１１、
ケース１０内部に設けられてディスプレイ１１の上方或いは下方に位置する第１光学装置３１、
ケース１０内部に設けられて第１光学装置３１に対向し、ディスプレイ１１の下方或いは上方に位置する第２光学装置３２、
ケース１０内部の背部に位置するように設けられた第３光学装置３３、
以上を具えている。
【００２８】
プロジェクタユニット２０の投射した光学映像はケース１０内で順に第１、２、３光学装置３１、３２、３３に反射された後、ディスプレイ１１背面に投影される。
【００２９】
図３に示されるように本発明のプロジェクタユニット２０はケース１０に設置されてレアプロジェクションテレビを形成し、該レアプロジェクションテレビの光学投射方法の特徴は以下のとおりであり、即ち、プロジェクタユニット２０が投射する光学映像がケース１０のディスプレイ１１背面に至る過程で、少なくとも光学映像を上から下或いは下から上に反射するステップを有し、更にその他の光学装置が直接或いは間接的にディスプレイ１１背面に反射する。
【００３０】
前述の本発明の方法を利用して構成されたレアプロジェクションテレビは、その構造の特徴が、プロジェクタユニット２０がケース１０背部に設けられ、ケース１０のディスプレイ１１の上方に第１光学装置３１が設けられてプロジェクタユニット２０が投射した光学映像を受け取り及び反射することにある。
【００３１】
以上の実施例は本発明の範囲を限定するものではなく、本発明に基づきなしうる細部の修飾或いは改変は、いずれも本発明の請求範囲に属するものとする。
【図面の簡単な説明】
【００３２】
【図１】本発明の両用プロジェクションシステムの外観図である。
【図２】本発明のレアプロジェクションテレビの立体分解図である。
【図３】本発明のレアプロジェクションテレビの光学投射方法及び構造表示図である。
【符号の説明】
【００３３】
１０  ケース
１１  ディスプレイ
１２  面板
１３  側板
１４  背板
１５  後ろ隔板
１６  底板
１７  係合装置
１８  収容カートリッジ
１９  スロット及びボード内部接続メカニズム
２０  プロジェクタユニット
３０  光学装置
３１  第１光学装置
３２  第２光学装置
３３  第３光学装置
【図１】
2006227107.tif 000003
【図２】
2006227107.tif 000004
【図３】
2006227107.tif 000005